(57)【要約】【課題】本発明は、管理エリア内の機器から動作ログを収集して蓄積する動作ログ蓄積装置の提供を目的とする。【解決手段】本発明に係る動作ログ蓄積装置１００は、管理エリア内の機器と通信可能な動作ログ蓄積装置１００であって、機器から動作ログを収集する受信部１０３と、収集した動作ログを蓄積する記憶部１０２と、記憶部１０２に蓄積した動作ログを所定の操作に応じて表示する表示部１０５および／または記憶部１０２に蓄積した動作ログを所定の操作に応じて外部に出力する出力部１０４を備える。【選択図】図１
2014130464.tif 000002
【特許請求の範囲】
【請求項１】
管理エリア内の機器と通信可能な動作ログ蓄積装置であって、
前記機器から動作ログを収集する受信部と
収集した前記動作ログを蓄積する記憶部と、
前記記憶部に蓄積した前記動作ログを所定の操作に応じて表示する表示部および／または前記記憶部に蓄積した前記動作ログを所定の操作に応じて外部に出力する出力部を備える、
動作ログ蓄積装置。
【請求項２】
前記記憶部は、前記動作ログを時刻情報と対応づけて蓄積し、
前記受信部は、前記時刻情報を含まない前記動作ログを受信した場合、当該動作ログを受信した時刻を前記記憶部に蓄積する前記時刻情報とすることを特徴とする、
請求項１に記載の動作ログ蓄積装置。
【請求項３】
前記記憶部は、前記動作ログを時刻情報と対応づけて蓄積し、
前記受信部は、前記時刻情報を含む前記動作ログを受信した場合、当該動作ログに含まれる時刻情報を前記記憶部に蓄積する前記時刻情報とすることを特徴とする、
請求項１または２に記載の動作ログ蓄積装置。
【請求項４】
前記記憶部は、前記動作ログを時刻情報と対応づけて蓄積し、
前記受信部は、前記動作ログと対応づけられたクロックカウント数を含む前記動作ログを受信した場合、当該クロックカウント数に基づいて、前記動作ログが発生した時刻を算出し、当該時刻を前記記憶部に蓄積する前記時刻情報とすることを特徴とする、
請求項１〜３のいずれかに記載の動作ログ蓄積装置。
【請求項５】
複数の前記機器から収集し蓄積した前記動作ログを、当該動作ログと対応づけられている前記時刻情報に沿って並べたリストを作成し、前記表示部に前記リストを表示するか、もしくは前記出力部に前記リストを出力することを特徴とする、
請求項１〜４のいずれかに記載の動作ログ蓄積装置。
【請求項６】
インターネットと接続するネットワークインターフェース部をさらに備え、
前記リストを前記ネットワークインターフェース部に出力することを特徴とする、
請求項５に記載の動作ログ蓄積装置。
【発明の詳細な説明】
【技術分野】
【０００１】
本発明は動作ログ蓄積装置に関し、特に、管理エリア内の機器と通信可能な動作ログ蓄積装置に関する。
【背景技術】
【０００２】
電気機器一般において、動作状態、使用者が行った操作、動作条件などを動作ログとしてその機器に蓄積しておくことで、機器の不具合を調べるときなどに、この動作ログを活用することができるため便利である。例えば、特許文献１には、インターネットを介して宅外から機器の不具合などを診断する技術が記載されている。
【０００３】
また、近年、家庭内機器をＬＡＮ等のホームネットワークに接続して、機器単体では実現できなかった機能やサービスの提供が検討されている。このように、家庭内機器や建物内の機器をネットワークに接続して通信を行うための規格として、例えば、ＥＣＨＯＮＥＴなどが知られている。
【先行技術文献】
【特許文献】
【０００４】
【特許文献１】特開２００１−３５８７２５号公報
【発明の概要】
【発明が解決しようとする課題】
【０００５】
動作ログを蓄積するために、機器本体に動作ログを蓄積する記憶部を設けると、機器の大きさや部品数が増大する問題があった。また、複数の機器の不具合などを調べる場合、各機器から個別に動作ログを取得する必要があり不便であった。
【０００６】
本発明は以上のような課題を解決するためになされたものであり、管理エリア内の機器から動作ログを収集して蓄積する動作ログ蓄積装置の提供を目的とする。
【課題を解決するための手段】
【０００７】
本発明に係る動作ログ蓄積装置は、管理エリア内の機器と通信可能な動作ログ蓄積装置であって、機器から動作ログを収集する受信部と、収集した動作ログを蓄積する記憶部と、記憶部に蓄積した動作ログを所定の操作に応じて表示する表示部および／または記憶部に蓄積した動作ログを所定の操作に応じて外部に出力する出力部を備える。
【発明の効果】
【０００８】
本発明に係る動作ログ蓄積装置は、管理エリア内の機器において発生する動作ログを収集し、蓄積する。よって、各機器で発生した動作ログを動作ログ蓄積装置の表示部に表示するか、もしくは出力部に出力することによって、各機器の不具合等の解析、診断を一括して行うことが可能であり、利便性が向上する。
【０００９】
さらに、管理エリア内の機器は、動作ログを記憶するための記憶部を備える必要がないため、管理エリア内の機器の小型化および部品数の削減が可能であり、機器の製造コスト削減が期待できる。
【図面の簡単な説明】
【００１０】
【図１】実施の形態１に係る管理エリアの模式図である。
【図２】実施の形態１に係る動作ログ蓄積装置のブロック図である。
【図３】実施の形態１〜３に係る管理エリア内の機器のブロック図である。
【図４】実施の形態１に係る動作ログ蓄積装置が作成するリストの一例を示す図である。
【発明を実施するための形態】
【００１１】
＜実施の形態１＞
＜構成＞
図１に、本実施の形態における動作ログ蓄積装置１００と管理エリア内の機器（第１〜３の機器１，２，３）との接続関係の模式図を示す。管理エリアとは、例えば、ＬＡＮ（Ｌｏｃａｌ  Ａｒｅａ  Ｎｅｔｗｏｒｋ）に接続可能なエリアである。本実施の形態では、動作ログ蓄積装置１００および第１〜３の機器１，２，３は無線ＬＡＮによって構築されたホームネットワーク１０に接続されているとする。
【００１２】
図２に、本実施の形態における動作ログ蓄積装置１００のブロック図を示す。動作ログ蓄積装置１００は、ＣＰＵによって実現される制御部１０１を備える。制御部１０１は、後述する各部（受信部１０３、記憶部１０２、操作部１０６、表示部１０５、出力部１０４、時計機能部１０７）の動作を制御する。
【００１３】
動作ログ蓄積装置１００は、ホームネットワーク１０と接続し、第１〜３の機器１，２，３から動作ログを受信する受信部１０３と、受信した動作ログを蓄積する記憶部１０２を備える。なお、動作ログの定義については後述する。受信部１０３は、ホームネットワーク１０に対応したインターフェースを備える。また、記憶部１０２は、例えば、数ギガバイトから数テラバイト程度の容量を有するハードディスクドライブである。
【００１４】
さらに、動作ログ蓄積装置１００は、使用者が例えばリモコン等により外部から操作可能な操作部１０６と、記憶部１０２に蓄積された動作ログを表示する表示部１０５と、記憶部１０２に蓄積された動作ログを出力する出力部１０４を備える。表示部１０５は、例えば液晶パネルやプラズマディスプレイパネルなどである。出力部１０４は、外部のＰＣと接続可能な端子もしくはメモリーカード等の外部記憶装置を挿入可能な端子を備えるとする。また、動作ログ蓄積装置１００は、時刻を刻む時計機能部１０７を備える。
【００１５】
動作ログ蓄積装置１００は、上述した構成を備える装置であればよく、例えば、録画機能を有するテレビジョンを動作ログ蓄積装置１００とすれば、番組を録画する例えばハードディスクを記憶部１３として使用することができる。
【００１６】
図３（ａ）に、本実施の形態における第１の機器１のブロック図を示す。第１の機器１は、家庭内機器であり、例えばエアコンである。第１の機器１は、エアコンの本来の機能（冷房、暖房など）を担う本来機能部１６と、本来機能部１６の動作によって生じる動作ログを動作ログ蓄積装置１００に送信する送信部１１を備える。第１の機器１はさらに、本来機能部１６と送信部１１の動作を制御する制御部１２を備える。制御部１２は、例えばＣＰＵである。送信部１１は、ホームネットワーク１０に接続可能なインターフェースを備える。
【００１７】
また、第２、第３の機器２，３は、例えば、冷蔵庫、空調ファン、テレビジョンなどである。第２、第３の機器２，３の構成は、第１の機器１と同じであるため、説明を省略する。また、ホームネットワーク１０に接続される機器の個数は３個（即ち第１〜３の機器１，２，３）に限定されず、より多くの機器が接続されてもよい。
【００１８】
＜動作＞
まず、動作ログについて説明する。動作ログとはその機器の動作に関連する情報である。つまり、動作ログとは、機器（例えばエアコン）の動作によって発生する情報である。これは例えば、使用者が機器（エアコン）を操作したときの操作情報、機器自体（エアコン自体）の動作情報、間接的に機器（エアコン）の動作に関係する情報などである。例えば、エアコンの温度センサーが検出する温度情報といった情報は動作そのものの情報ではないが、間接的に動作に関係するため、この様な情報も動作ログに含めてもよい。
【００１９】
次に、図３（ａ）を用いて、第１の機器１の動作について説明する。制御部１２は、本来機能部１６の動作によって動作ログが発生すると、直ちに、発生した動作ログを送信部１１へ送る。送信部１１は、受信した動作ログを、直ちに、ホームネットワーク１０を介して動作ログ蓄積装置１００へ送信する。また、第２、第３の機器２，３も第１の機器１と同様の動作を行う。
【００２０】
次に、動作ログ蓄積装置１００の動作を説明する。動作ログ蓄積装置１００に備わる記憶部１０２は、動作ログを時刻情報と対応づけて蓄積する。本実施の形態において、動作ログ蓄積装置１００が受信する動作ログには、時刻情報が含まれていないとする。
【００２１】
受信部１０３にて動作ログを受信すると、制御部１０１は、直ちに時計機能部１０７から現在時刻の時刻情報を取得し、動作ログをこの時刻情報と対応づけて、記憶部１０２に蓄積する。
【００２２】
動作ログは例えばテキストデータであり、第１〜３の機器１，２，３のそれぞれに対応したテキストファイルに、各機器の動作ログと、この動作ログと対応付けられた時刻情報が書き込まれる。
【００２３】
なお、ホームネットワーク１０において伝送に要する時間はほぼ無視できるため、動作ログ蓄積装置１００が動作ログを受信した時刻は、機器（第１〜３の機器１，２，３）において動作ログが発生した時刻とみなすことができる。
【００２４】
以上のようにして、動作ログ蓄積装置１００は、第１〜３の機器１，２，３で発生した動作ログをリアルタイムで収集し蓄積する。
【００２５】
操作部１０６において所定の操作がなされると、制御部１０１は、第１〜３の機器１，２，３から収集し蓄積した動作ログを、この動作ログと対応づけられている時刻情報に沿って並べたリストを作成する。リストの一例を図４に示す。
【００２６】
図４のリストから、２０１２年１１月２８日の１２時５０分１２秒に、第１の機器１において動作ログＡが発生し、その２秒後に、第２の機器２において動作ログＢが発生し、その１秒後に、第３の機器において動作ログＣが発生したことがわかる。
【００２７】
制御部１０１は、このリストを、表示部１０５に表示するか、もしくは出力部１０４に出力する。また、操作部１０６において、別の所定の操作を行うことにより、例えば第１の機器１から受信した動作ログのみを表示部１０５に表示、もしくは出力部１０４に出力することも可能である。なお、上述したリストの表示または出力は、例えば、第１〜３の機器１，２，３のいずれかに不具合等が発生したときに、この不具合等の解析、診断の原因を調べるために行われる。
【００２８】
また、動作ログ蓄積装置１００に蓄積された動作ログを逆に送信することによって、第１〜３の機器１，２，３に、動作ログに対応する動作を行わせることが可能であれば、使用者は、動作ログ蓄積装置１００に蓄積された動作ログを利用して、各機器の操作を行うことができ、利便性が向上すると考えられる。
【００２９】
＜効果＞
本実施の形態における動作ログ蓄積装置１００は、管理エリア内の機器（即ち第１〜３の機器１，２，３）と通信可能な動作ログ蓄積装置１００であって、機器から動作ログを収集する受信部１０３と、収集した動作ログを蓄積する記憶部１０２と、記憶部１０２に蓄積した動作ログを所定の操作に応じて表示する表示部１０５および／または記憶部１０２に蓄積した動作ログを所定の操作に応じて外部に出力する出力部１０４を備える。
【００３０】
従って、動作ログ蓄積装置１００が、管理エリア内の機器（即ち第１〜３の機器１，２，３）において発生する動作ログを収集し、蓄積する。よって、各機器で発生した動作ログを動作ログ蓄積装置１００の表示部１０５に表示するか、もしくは出力部１０４に出力することによって、各機器の不具合等の解析、診断を一括して行うことが可能であり、利便性が向上する。
【００３１】
さらに、管理エリア内の機器は、動作ログを記憶するための記憶部を備える必要がないため、管理エリア内の機器の小型化および部品数の削減が可能であり、機器の製造コスト削減が期待できる。
【００３２】
また、本実施の形態における動作ログ蓄積装置１００において、記憶部１０２は、動作ログを時刻情報と対応づけて蓄積し、受信部１０３は、時刻情報を含まない動作ログを受信した場合、動作ログを受信した時刻を記憶部１０２に蓄積する時刻情報とすることを特徴とする。
【００３３】
従って、管理エリア内の機器（即ち第１〜３の機器１，２，３）から送信される動作ログが時刻情報を含まない場合であっても、その動作ログが発生したときに、直ちに、動作ログ蓄積装置１００に送信されれば、動作ログ蓄積装置側で、動作ログが発生した時刻の時刻情報を取得することが可能である。また、各機器は、時刻を刻む時計機能部および動作ログを蓄積する記憶部を備える必要がないため、各機器の小型化および部品数の削減が可能である。
【００３４】
また、本実施の形態における動作ログ蓄積装置１００は、複数の機器（即ち第１〜３の機器１，２，３）から収集し蓄積した動作ログを、当該動作ログと対応づけられている時刻情報に沿って並べたリストを作成し、表示部１０５にリストを表示するか、もしくは出力部１０４にリストを出力することを特徴とする。
【００３５】
従って、複数の機器の動作ログを時系列に並べてリストにすることによって、そのリストから、各機器がどのように連係して動作を行ったかを知ることが可能である、よって、動作ログを利用して管理エリア内の機器の不具合等の解析、診断を行うときに、より便利である。
【００３６】
＜実施の形態２＞
＜構成＞
本実施の形態における動作ログ蓄積装置１００の構成は、実施の形態１（図２）の動作ログ蓄積装置１００と同じであるため、説明を省略する。
【００３７】
本実施の形態における第１の機器１Ａの構成を、図３（ｂ）に示す。本実施の形態における第１の機器１Ａは、実施の形態１（図３（ａ））における第１の機器１に対して、記憶部１３と、時刻を刻む時計機能部１４をさらに備える。記憶部１３と時計機能部１４の動作は、制御部１２により制御される。記憶部１３は、例えば不揮発性メモリである。その他の構成は実施の形態１（図３（ａ））と同じであるため説明を省略する。なお、本実施の形態における第２、第３の機器２Ａ，３Ａの構成は、第１の機器１Ａと同じであるため、説明を省略する。また、第１〜３の機器１Ａ，２Ａ，３Ａのそれぞれに備わる時計機能部１４は、同じ時刻を刻んでいるとする。即ち、各機器間で同期がとられているとする。
【００３８】
＜動作＞
図３（ｂ）を用いて、第１の機器１Ａの動作について説明する。制御部１２は、本来機能部１６において動作ログが発生すると、直ちに、時計機能部１４から時刻情報を取得する。そして、この動作ログに時刻情報を含ませて、記憶部１３に蓄積する。制御部１２は、一定時間（例えば１０分）ごとに、記憶部１３に蓄積した動作ログを、送信部１１に出力し、送信部１１は、ホームネットワーク１０を介して動作ログ蓄積装置１００へ送信する。また、第２、第３の機器２Ａ，３Ａも第１の機器１Ａと同様の動作を行う。
【００３９】
次に、動作ログ蓄積装置１００の動作を説明する。動作ログ蓄積装置１００に備わる記憶部１０２は、動作ログを時刻情報と対応づけて蓄積する。本実施の形態において、動作ログ蓄積装置１００が受信する動作ログには、時刻情報が含まれている。
【００４０】
受信部１０３にて動作ログを受信すると、制御部１０１は、受信した動作ログを、動作ログに含まれている時刻情報と対応づけて記憶部１０２に蓄積する。
【００４１】
なお、本実施の形態において、第１〜３の機器１Ａ，２Ａ，３Ａは一定時間ごとに、動作ログを動作ログ蓄積装置１００に送信するとしたが、動作ログ蓄積装置１００側からの問い合わせにより、動作ログを送信するとしてもよい。
【００４２】
動作ログ蓄積装置１００のその他の動作は、実施の形態１と同じであるため、説明を省略する。
【００４３】
＜効果＞
本実施の形態における動作ログ蓄積装置１００において、記憶部１０２は、動作ログを時刻情報と対応づけて蓄積し、受信部１０３は、時刻情報を含む動作ログを受信した場合、当該動作ログに含まれる時刻情報を記憶部１０２に蓄積する時刻情報とすることを特徴とする。
【００４４】
従って、管理エリア内の機器（即ち第１〜３の機器１Ａ，２Ａ，３Ａ）から送信される動作ログが時刻情報を含むことにより、動作ログがリアルタイムに送信されなくても、動作ログ蓄積装置１００は、その動作ログの発生した時刻を取得することが可能である。よって、動作ログ蓄積装置１００は、時間を遅らせて動作ログを受信することが可能となり、例えば、第１〜３の機器１Ａ，２Ａ，３Ａごとに、動作ログを送信する時間をずらせば、動作ログを受信する動作ログ蓄積装置１００における処理の負担を軽減することが可能である。
【００４５】
＜実施の形態３＞
＜構成＞
本実施の形態における動作ログ蓄積装置１００の構成は、実施の形態１（図２）の動作ログ蓄積装置１００と同じであるため、説明を省略する。
【００４６】
本実施の形態における第１の機器１Ｂの構成を、図３（ｃ）に示す。本実施の形態における第１の機器１Ｂの制御部１２は、実施の形態１の第１の機器１（図３（ａ））の制御部１２に対して、クロックカウント部１５をさらに備える。制御部１２はＣＰＵであり、クロックカウント部１５は、ＣＰＵのクロック数をカウントする。その他の構成は実施の形態１（図３（ａ））と同じであるため説明を省略する。なお、本実施の形態において、第２、第３の機器２Ｂ，３Ｂの構成は、第１の機器１Ｂと同じであるため、説明を省略する。
【００４７】
＜動作＞
図３（ｃ）を用いて、第１の機器１Ｂの動作について説明する。制御部１２は、本来機能部１６において動作ログが発生すると、直ちに、クロックカウント部１５からクロックカウント数を取得する。そして、この動作ログにクロックカウント数を含ませて、記憶部１３に蓄積する。制御部１２は、クロックカウント部１５のクロックカウント数が一定値（例えばカウント数１万）に達すると、記憶部１３に蓄積した動作ログを、送信部１１に出力し、送信部１１は、ホームネットワーク１０を介して動作ログ蓄積装置１００へ送信する。このとき、クロックカウント部１５におけるクロックカウント数はゼロにリセットされる。また、第２、第３の機器２Ｂ，３Ｂも第１の機器１Ｂと同様の動作を行う。
【００４８】
次に、動作ログ蓄積装置１００の動作を説明する。動作ログ蓄積装置に備わる記憶部１０２は、動作ログを時刻情報と対応づけて蓄積する。本実施の形態において、動作ログ蓄積装置１００が受信する動作ログには、クロックカウント数が含まれている。
【００４９】
また、例えば記憶部１０２には、第１〜３の機器１Ｂ，２Ｂ，３Ｂのそれぞれの制御部、即ちＣＰＵのクロック周期が予め記憶されている（例えば、クロック周期が１００Ｈｚの場合、１クロックは０．０１秒に相当する）。
【００５０】
受信部１０３にて、例えば第１の機器１Ｂから動作ログを受信すると、制御部１０１は、受信した動作ログに含まれているクロックカウント数を抽出する。次に、制御部１０１は、１クロックに相当する実時間の情報を利用して、抽出したクロックカウント数を実時間に変換する。例えば、クロックカウント数が２００で、１クロックに相当する実時間が０．０１秒の場合、クロックカウント数２００は２秒に変換される。
【００５１】
また、制御部１０１または記憶部１０２には、前回第１の機器１Ｂから動作ログを受信した時刻が記憶されており、この時刻に、上述した例だと、２秒を加算すれば、動作ログの発生した時刻を算出することが可能である。次に、制御部１０１は算出した時刻の時刻情報を、この動作ログと対応付けて記憶部１０２に記憶する。
【００５２】
なお、第１〜３の機器１Ｂ，２Ｂ，３Ｂを、ホームネットワーク１０を介して動作ログ蓄積装置１００に最初に接続したときに、動作ログ蓄積装置１００は、第１〜３の機器１Ｂ，２Ｂ，３Ｂに、クロックカウント部１５のカウント数をリセットするよう指示を送る。また、動作ログ蓄積装置１００は、このときの時刻情報を時計機能部１０７から取得して、制御部１０１または記憶部１０２に記憶する。
【００５３】
なお、本実施の形態では、第１〜３の機器１Ｂ，２Ｂ，３Ｂ間でクロックの同期をとる必要はない。
【００５４】
本実施の形態において、第１〜３の機器１Ｂ，２Ｂ，３Ｂは、クロックカウント数が一定値に達するごとに、動作ログを動作ログ蓄積装置１００に送信するとしたが、動作ログ蓄積装置１００側からの問い合わせにより、動作ログを送信してもよい。この場合、第１〜３の機器１Ｂ，２Ｂ，３Ｂは、問い合わせを受けて動作ログを送信したときに、クロックカウント部１５のクロックカウント数をゼロにリセットする。
【００５５】
動作ログ蓄積装置１００のその他の動作は、実施の形態１と同じであるため、説明を省略する。
【００５６】
＜効果＞
本実施の形態にかかる動作ログ蓄積装置１００において、記憶部１０２は、動作ログを時刻情報と対応づけて蓄積し、受信部１０３は、動作ログと対応づけられたクロックカウント数を含む動作ログを受信した場合、当該クロックカウント数に基づいて、動作ログが発生した時刻を算出し、当該時刻を記憶部１０２に蓄積する時刻情報とすることを特徴とする。
【００５７】
従って、管理エリア内の機器（即ち第１〜３の機器１Ｂ，２Ｂ，３Ｂ）から送信される動作ログがクロックカウント数を含むことにより、動作ログがリアルタイムに送信されなくても、動作ログ蓄積装置１００は、クロックカウント数を実時間に変換することにより、その動作ログの発生した時刻を取得することが可能である。よって、動作ログ蓄積装置１００は、時間を遅らせて動作ログを受信することが可能となり、例えば、第１〜３の機器１Ｂ，２Ｂ，３Ｂごとに、動作ログを送信する時間をずらせば、動作ログを受信する動作ログ蓄積装置１００の負担を軽減することが可能である。また、実施の形態２と比較して、第１〜３の機器１Ｂ，２Ｂ，３Ｂは時計機能部１４を備える必要が無いため、各機器の小型化および部品数の削減が可能であり、機器の製造コスト削減が期待できる。
【００５８】
＜実施の形態４＞
本実施の形態において、例えば、第１の機器１は図３（ａ）に示した構成を備え、第２の機器２Ａは図３（ｂ）に示した構成を備え、第３の機器３Ｂは図３（ｃ）に示した構成を備えるとする。この場合、第１の機器１から送信される動作ログは、リアルタイムで送信され、時刻情報が含まれていない。よって、動作ログ蓄積装置１００は、実施の形態１で述べた動作により、時刻情報を取得し、これを動作ログと対応づけて記憶部１０２に記憶する。
【００５９】
また、第２の機器２Ａから送信される動作ログには、時刻情報が含まれる。よって、動作ログ蓄積装置１００は、実施の形態２で述べた動作により、この時刻情報を動作ログと対応づけて記憶部１０２に記憶する。
【００６０】
また、第３の機器３Ｂから送信される動作ログには、クロックカウント数が含まれる。よって、動作ログ蓄積装置１００は、実施の形態３で述べた動作により、クロックカウント数を実時間に変換することにより時刻情報を取得し、これを動作ログと対応づけて記憶部１０２に記憶する。
【００６１】
以上のように、管理エリア内の機器によって、動作ログに含まれる情報が異なる場合であっても、動作ログ蓄積装置１００は、受信した動作ログを収集し蓄積することが可能である。なお、リストの作成、表示および出力の動作は実施の形態１と同じであるため、説明を省略する。
【００６２】
＜実施の形態５＞
本実施の形態における動作ログ蓄積装置は、実施の形態１の動作ログ蓄積装置１００（図２）に対して、インターネットと接続するネットワークインターフェース部（図示せず）をさらに備える。
【００６３】
実施の形態１における動作ログ表示装置は、蓄積された動作ログや動作ログから作成したリスト（図４）を表示部１０５に表示するか、もしくは出力部１０４へ出力した。本実施の形態では、操作部１０６において所定の操作を行うことにより、動作ログをネットワークインターフェース部に出力することも可能である。
【００６４】
例えば、第１〜３の機器１，２，３において不具合等が発生した場合、動作ログ蓄積装置に蓄積されたその機器の動作ログを、インターネットを介して製造業者に送信することにより、遠隔で解析や診断等を行うことが可能となる。動作ログ蓄積装置のその他の動作は、実施の形態１と同じであるため、説明を省略する。
【００６５】
本実施の形態における動作ログ蓄積装置は、インターネットと接続するネットワークインターフェース部をさらに備え、リストをネットワークインターフェース部に出力することを特徴とする。
【００６６】
従って、本実施の形態における動作ログ蓄積装置によれば、インターネットを介して、遠隔で不具合等の解析、診断が可能となるため、不具合等の解析、診断を行う際に利便性が向上する。
【００６７】
なお、本発明は、その発明の範囲内において、各実施の形態を自由に組み合わせたり、各実施の形態を適宜、変形、省略することが可能である。
【符号の説明】
【００６８】
１，１Ａ，１Ｂ  第１の機器、２，２Ａ，２Ｂ  第２の機器、３，３Ａ，３Ｂ  第３の機器、１０  ホームネットワーク、１００  動作ログ蓄積装置、１１  送信部、１２，１０１  制御部、１３，１０２  記憶部、１４，１０７  時計機能部、１５  クロックカウント部、１６  本来機能部、１０３  受信部、１０４  出力部、１０５  表示部、１０６  操作部。
【図１】
2014130464.tif 000003
【図２】
2014130464.tif 000004
【図３】
2014130464.tif 000005
【図４】
2014130464.tif 000006